(57)【特許請求の範囲】
【請求項１】
ヒューズ装着部に装着されたヒューズを抜き取るヒューズ抜き治具であって、操作基部と、この操作基部と一体に形成された可撓性を有する一対の脚部と、前記ヒューズの頭部と係合し前記操作基部のヒューズ装着部側への押圧による前記脚部の作用で前記ヒューズをヒューズ装着部から抜き出す係合部とからなり、
前記一対の脚部が前記操作基部の両側から同方向に延設され、該一対の脚部の中間部に前記ヒューズ装着部へのヒューズの脱着方向に伸縮自在な弾性伸縮部が設けられ、先端部に前記ヒューズ装着部の周囲に当接する当接端が設けられ、前記一対の脚部間の操作基部の裏面側から前記係合部が突設され、この係合部が前記脚部の弾性伸縮部を収縮させることで前記ヒューズの頭部と係合し、前記弾性伸縮部の伸張によりヒューズ装着部からヒューズを抜き出す一対の係合爪部を有し、
前記操作基部が可撓性を有し、前記ヒューズ装着部側への押圧により弾性伸縮部が収縮すると共に、前記操作基部が撓んで前記係合部が拡開し、前記一対の係合爪部がヒューズの頭部に係合することを特徴とするヒューズ抜き治具。
【請求項２】
ヒューズ装着部に装着されたヒューズを抜き取るヒューズ抜き治具であって、操作基部と、この操作基部と一体に形成された可撓性を有する一対の脚部と、前記ヒューズの頭部と係合し前記操作基部のヒューズ装着部側への押圧による前記脚部の作用で前記ヒューズをヒューズ装着部から抜き出す係合部とからなり、
前記一対の脚部が前記操作基部の両側に一体に形成されて前記ヒューズ装着部の周囲の抜き治具装着孔に挿入され、前記係合部が前記一対の脚部の先端側にそれぞれ設けられてヒューズ本体の下部側に当接し、前記操作基部のヒューズ装着部側への押圧力が前記一対の脚部を介して伝わって前記ヒューズをヒューズ装着部から押し上げて抜き出す押し上げ爪部を有することを特徴とするヒューズ抜き治具。
【請求項３】
請求項２記載の発明であって、前記操作基部を間にして、前記操作基部と共に前記一対の脚部が円弧状に形成されていることを特徴とするヒューズ抜き治具。
【請求項４】
請求項１に記載のヒューズ抜き治具を用いたヒューズ抜き構造であって、前記ヒューズ装着部のヒューズの端子部が挿入される端子挿入孔の両側に、前記当接端が挿入される溝部が設けられていることを特徴とするヒューズ抜き構造。
【請求項５】
請求項２又は請求項３記載のヒューズ抜け治具を用いたヒューズ抜き構造であって、前記ヒューズ装着部のヒューズの端子部が挿入される端子挿入孔の両側に前記一対の脚部が収容される抜き治具装着孔が形成されていることを特徴とするヒューズ抜き構造。
【発明の詳細な説明】
【０００１】
【発明の属する技術分野】
本発明は、ヒューズ装着部に装着されたヒューズを抜き取るためのヒューズ抜け治具及びヒューズ抜き構造に関する。
【０００２】
【従来の技術】
図１２（ａ）、（ｂ）、（ｃ）は、実開平２−５８５４号公報に記載されたヒューズ抜き治具１及びヒューズ抜き構造を示す。このヒューズ抜き治具１は、一対の脚部２ａ、２ｂと、これらの脚部２ａ、２ｂを連結する可撓性の連結部３と、一対の脚部２ａ、２ｂの先端部に形成された係合爪部４ａ、４ｂとで形成されている。
【０００３】
このヒューズ抜き治具１を用いて、ヒューズ装着部５に装着された状態のブレード型のヒューズ６を抜き取るには、図１２（ａ）に示すように、ヒューズ抜き治具１をヒューズ６の上部に位置させた後に、図１２（ｂ）に示すように、ヒューズ抜き治具１をヒューズ６の頭部６ａ側に移動させ、頭部６ａを一対の脚部２ａ、２ｂ間に挿入する。このとき、連結部３が可撓性を有しているので、一対の脚部２ａ、２ｂ間が開く。ヒューズ６の頭部６ａを一対の脚部２ａ、２ｂ間に挿入していくと、頭部６ａの下面側に係合爪部４ａ、４ｂが係合する。この状態から、図１２（ｃ）に示すように、ヒューズ抜き治具１を上方に引き上げることにより、ヒューズ６がヒューズ装着部５から引き抜かれる。
【０００４】
また、図１３には、実開平５−６６８６０号公報に記載されたヒューズ抜き治具７を示す。このヒューズ抜き治具７も、上記ヒューズ抜き治具１と同様に、一対の脚部８ａ、８ｂと、これらの脚部８ａ、８ｂを連結する可撓性の連結部９と、脚部８ａ、８ｂの先端部に設けられた係合爪部１０ａ、１０ｂとからなる。さらに、このヒューズ抜き治具７では、ブレード型のヒューズより小さいミニヒューズを抜き取るための係合爪部１１ａ、１１ｂが設けられている。また、このヒューズ抜き治具７では、ヒューズ６の頭部６ａを押さえるための突起１２を一対の脚部８ａ、８ｂの内面側に設けてあり、ヒューズを抜き取る際の作業性を向上させている。
【０００５】
【発明が解決しようとする課題】
しかしながら、上記各公報に記載されたヒューズ抜き治具１、７は、いずれも、係合爪部４ａ、４ｂ、１０ａ、１０ｂをヒューズ６の頭部６ａの下面側に係合させた状態で、上方に引き上げるため、上方に引き上げる際に、一対の脚部２ａ、２ｂ、８ａ、８ｂ間が広がって係合爪部４ａ、４ｂ、１０ａ、１０ｂが頭部６ａの下面側からはずれることがある。また、一対の脚部４ａ、４ｂ、１０ａ、１０ｂ間が広がると頭部６ａへの係合爪部４ａ、４ｂ、１０ａ、１０ｂの係合部分が少なくなり、この状態で上方に引き上げると、少ない係合部分に大きな力が加わるため係合爪部４ａ、４ｂ、１０ａ、１０ｂが割れるおそれがある。
【０００６】
また、一対の脚部２ａ、２ｂ、８ａ、８ｂを強くつかむことにより、係合爪部４ａ、４ｂ、１０ａ、１０ｂの頭部６ａへの係合部分を充分確保し、はずれや割れを防止することが考えられるが、この場合、一対の脚部２ａ、２ｂ、８ａ、８ｂを強くつかんだ状態で上方へも引き上げるので、指への負担が大きくなり、ヒューズ抜き作業に手間が掛かるという問題がある。
【０００７】
そこで本発明は、ヒューズの頭部に確実に係合することができて、ヒューズ抜き作業が容易となるヒューズ抜き治具及びヒューズ抜き構造の提供を目的とする。
【０００８】
【課題を解決するための手段】
上記目的を達成するため、請求項１の発明は、ヒューズ装着部に装着されたヒューズを抜き取るヒューズ抜き治具であって、操作基部と、この操作基部と一体に形成された可撓性を有する一対の脚部と、前記ヒューズの頭部と係合し前記操作基部のヒューズ装着部への押圧による前記脚部の作用で前記ヒューズをヒューズ装着部から抜き出す係合部とからなり、前記一対の脚部が前記操作基部の両側から同方向に延設され、該一対の脚部の中間部に前記ヒューズ装着部へのヒューズの脱着方向に伸縮自在な弾性伸縮部が設けられ、先端部に前記ヒューズ装着部の周囲に当接する当接端が設けられ、前記一対の脚部間の操作基部の裏面側から前記係合部が突設され、この係合部が前記脚部の弾性伸縮部を収縮させることで前記ヒューズの頭部と係合し、前記弾性伸縮部の伸張によりヒューズ装着部からヒューズを抜き出す一対の係合爪部を有し、前記操作基部が可撓性を有し、前記ヒューズ装着部側への押圧により弾性伸縮部が収縮すると共に、前記操作基部が撓んで前記係合部が拡開し、前記一対の係合爪部がヒューズの頭部に係合することを特徴としている。
【０００９】
このヒューズ抜き治具では、ヒューズの頭部に係合部を係合させた状態で、操作基部をヒューズ装着部側へ押圧する。操作基部をヒューズ装着部側へ押圧すると、この操作基部の押圧による一対の脚部の作用で係合部は、ヒューズをヒューズ装着部から抜き出す。この場合、係合部が頭部からはずれないように一対の脚部を強くつまむ必要はなく、係合部をヒューズの頭部に一旦係合させてしまえば、この係合状態がはずれないようにする必要はない。また、操作基部をヒューズ装着部に対して引き上げる必要はなく、逆にヒューズ装着部側に向けて押圧すれば、この押圧により一対の脚部が作用して係合部がヒューズをヒューズ装着部から抜き出す。
【００１１】
また、ヒューズ抜き治具では、ヒューズ装着部に装着されたヒューズの上部にヒューズ抜き治具を配置し、ヒューズ装着部の周囲に一対の脚部の当接端を当接させる。この状態から、操作基部をヒューズ装着部側へ押圧すると、弾性伸縮部が収縮して、係合部がヒューズの頭部と係合する。操作基部への押圧をやめると、弾性伸縮部が元の形状に戻ろうとするための伸張動作により、係合部がヒューズ装着部から離れる方向へ移動するため、頭部をヒューズ装着部から離れる方向（ヒューズ抜き方向）へ移動させる。この結果、係合部はヒューズをヒューズ装着部から抜き出す。
【００１２】
この場合、係合部がヒューズの頭部からはずれないように一対の脚部を強くつまむ必要はなく、操作基部をヒューズ装着部側へ押圧するだけで、一対の脚部の作用により、ヒューズをヒューズ装着部から容易に抜き出すことができる。
【００１４】
さらに、このヒューズ抜き治具では、操作基部をヒューズ装着部側へ押圧することで操作基部の裏面側の係合部がヒューズの頭部に係合する。この場合、操作基部が可撓性を有しているため操作基部が撓んで係合部が拡開することにより、係合部がヒューズの頭部に係合すると共に、操作基部をヒューズ装着部側へ押圧することで一対の脚部の弾性伸縮部が収縮して、係合部がヒューズの頭部に近づき、係合する。
【００１５】
請求項２の発明は、ヒューズ装着部に装着されたヒューズを抜き取るヒューズ抜き治具であって、操作基部と、この操作基部と一体に形成された可撓性を有する一対の脚部と、前記ヒューズの頭部と係合し前記操作基部のヒューズ装着部側への押圧による前記脚部の作用で前記ヒューズをヒューズ装着部から抜き出す係合部とからなり、前記一対の脚部が前記操作基部の両側に一体に形成されて前記ヒューズ装着部の周囲の抜き治具装着孔に挿入され、前記係合部が前記一対の脚部の先端側にそれぞれ設けられてヒューズ本体の下部側に当接し、前記操作基部へのヒューズ装着部側への押圧力が前記一対の脚部を介して伝わって前記ヒューズをヒューズ装着部から押し上げて抜き出す押し上げ爪部を有することを特徴としている。
【００１６】
このヒューズ抜き治具では、ヒューズの頭部に係合部を係合させた状態で、操作基部をヒューズ装着部側へ押圧する。操作基部をヒューズ装着部側へ押圧すると、この操作基部の押圧による一対の脚部の作用で係合部は、ヒューズをヒューズ装着部から抜き出す。この場合、係合部が頭部からはずれないように一対の脚部を強くつまむ必要はなく、係合部をヒューズの頭部に一旦係合させてしまえば、この係合状態がはずれないようにする必要はない。また、操作基部をヒューズ装着部に対して引き上げる必要はなく、逆にヒューズ装着部側に向けて押圧すれば、この押圧により一対の脚部が作用して係合部がヒューズをヒューズ装着部から抜き出す。具体的には、ヒューズ抜き治具では、操作基部を押圧することで、弾性伸縮部が収縮して、操作基部が撓むことにより、一対の係合爪部がヒューズ本体の下部側に当接する。そして、操作基部へのヒューズ装着部側への押圧をやめると、弾性伸縮部が伸張し、操作基部の撓みがもとに戻ることにより、ヒューズが上方へ引き上げられてヒューズ装着部から抜き出る。
【００１７】
請求項３の発明は、請求項２記載の発明であって、前記操作基部を間にして、前記操作基部と共に前記一対の脚部が円弧状に形成されていることを特徴としている。
【００１８】
このヒューズ抜き治具では、円弧状に形成されたヒューズ抜き治具を抜き治具装着孔内に挿入し、操作基部をヒューズ装着部側に押圧すると、一対の脚部が抜き治具装着孔の内壁に当接し、その先端部の押し上げ爪部がヒューズの頭部の下面側に当接する。さらに、操作基部をヒューズ装着部側へ押圧すると、押し上げ爪部がヒューズの頭部を上方に押し上げるため、ヒューズがヒューズ装着部から抜き出る。
【００１９】
請求項４の発明は、請求項１に記載のヒューズ抜き治具を用いたヒューズ抜き構造であって、前記ヒューズ装着部のヒューズ端子部が挿入される端子挿入口の両側に、前記当接端が挿入される溝部が設けられていることを特徴としている。
【００２０】
このヒューズ抜き構造では、ヒューズ抜き治具の当接端を溝部内に挿入し、ヒューズ抜き治具の操作基部を押圧することで弾性伸縮部を収縮させる。弾性伸縮部を収縮させると、一対の係合爪部がヒューズの頭部に係合する。そして、操作基部への押圧をやめると、弾性伸縮部の伸張により、操作基部が上方に移動し、これに伴って、ヒューズがヒューズ装着部から抜き出る。
【００２１】
請求項５の発明は、請求項２又は請求項３記載のヒューズ抜け治具を用いたヒューズ抜き構造であって、前記ヒューズ装着部のヒューズの端子部が挿入される端子挿入口の両側に前記一対の脚部が収容される抜き治具装着孔が形成されていることを特徴としている。
【００２２】
このヒューズ抜き構造では、ヒューズ抜き治具を抜き治具装着孔内に挿入し、操作基部を押圧すると、この押圧力により一対の脚部を伝わって押し上げ爪部に伝わり、ヒューズ本体の下部側から押し上げる。この結果、ヒューズがヒューズ装着部から抜き出る。
【００２３】
【発明の実施の形態】
以下、本発明に係るヒューズ抜き治具及びヒューズ抜き構造の実施形態について説明する。
【００２４】
第１実施形態
図１及び図２は、第１実施形態のヒューズ抜き治具１３及び、このヒューズ抜き治具１３を用いてヒューズ６が抜き取られるヒューズ抜き構造を示す。
【００２５】
図１（ａ）、（ｂ）及び図２に示すように、ヒューズ抜き治具１３は、操作基部１４と、この操作基部１４と一体に形成された可撓性を有する一対の脚部１５ａ、１５ｂと、ヒューズ６の頭部６ａと係合し操作基部１４のヒューズ装着部側への押圧による脚部１５ａ、１５ｂの作用でヒューズ６をヒューズ装着部１６から抜き出す係合部１７とからなる。
【００２６】
一対の脚部１５ａ、１５ｂは操作基部１４の両側から同方向に延設され、この一対の脚部１５ａ、１５ｂの中間部にヒューズ装着部１６へのヒューズ６の脱着方向に伸縮自在な弾性伸縮部１８ａ、１８ｂがそれぞれ設けられ、先端部にヒューズ装着部１６の周囲に当接する当接端１９ａ、１９ｂが設けられいる。そして、操作基部１４、一対の脚部１５ａ、１５ｂとで全体としてコ字型断面形状に形成されている。弾性伸縮部１８ａ、１８ｂは、波形に形成されて、当接端１９ａ、１９ｂが操作基部１４に対して接離する方向に伸縮自在となっている。
【００２７】
また、係合部１７は、図２に示すように、一対の脚部１５ａ、１５ｂ間の操作基部１４の裏面側から突設された一対の係合爪部２０ａ、２０ｂで構成されている。一対の係合爪部２０ａ、２０ｂは、操作基部１４の裏面から一対の脚部１５ａ、１５ｂ側にそれぞれ突設されたアーム２１、２１と、このアーム２１、２１の先端にそれぞれ向き合うように突設された爪２２、２２とで形成されている。そして爪２１、２１間の寸法は、ヒューズ６の頭部６ａの幅寸法に略等しく設定されている。
【００２８】
一方、ヒューズ６が装着され、このヒューズ６がヒューズ抜き治具１３により抜き取られる電気接続箱２３は、図１（ａ）、（ｂ）に示すように、分岐回路を形成するブスバー２４が収容された接続箱本体２５と、この接続箱本体２５の上部を閉鎖すると共に、ブスバー２４の端子部２６が収容される端子収容部２７を有するアッパーカバー２８とで形成されている。端子収容部２７の表面側がヒューズ装着部１６となっており、このヒューズ装着部１６と端子収容部１６との間には、ヒューズ６の端子部６ｂが端子収容部２７内に挿入される端子挿入孔２９が形成されている。また、端子挿入孔２９の周囲には、ヒューズ６のヒューズ本体６ｃが収容される本体収容部３０が形成されている。さらに、この本体収容部３０の周囲には、上記ヒューズ抜き治具１３の当接端１９ａ、１９ｂがそれぞれ挿入される溝部３１、３１が形成されている。この溝部３１、３１は、図３に示すように、本体収容部３０を間に挟んで両側に形成されている。
【００２９】
次に、上記ヒューズ抜き治具１３を用いて、ヒューズ装着部１６に装着されたヒューズ６を抜き出す手順について説明する。
【００３０】
図４（ａ）に示すように、ヒューズ抜き治具１３の一対の脚部１５ａ、１５ｂの当接端１９ａ、１９ｂを溝部３１、３１にそれぞれ挿入して、ヒューズ抜き治具１３をヒューズ６の上部に配置する。この状態から、図４（ｂ）に示すように、操作基部１４をヒューズ装着部１６側に向けて押圧する。操作基部１４をヒューズ装着部１６側に向けて押圧すると、操作基部１４の中間部分が下方（ヒューズ装着部１６側）に向けて撓むと共に、弾性伸縮部１８ａ、１８ｂが収縮する。この結果、一対の係合爪部２０ａ、２０ｂがヒューズ装着部１６側に移動すると共に、操作基部１４の中間部が撓んでアーム２１、２１が外側に広がる（係合部１７が拡開する）ことにより、爪２２、２２がヒューズ６の頭部６ａの下面側に係合する。そして、操作基部１４への押圧をやめると、すなわち操作基部１４から指を離すと、弾性伸縮部１８ａ、１８ｂが伸張することにより、図４（ｃ）に示すように、操作基部１４が上方に移動し、これに伴って、ヒューズ６の頭部６ａが上方に移動する。これにより、ヒューズ６の端子部６ｂがブスバー２４の端子部２６から抜き出る。そして、ヒューズ６と共に、ヒューズ抜き治具１３をヒューズ装着部１６から離すことでヒューズ６をヒューズ装着部１６から取り外すことができる。
【００３１】
この実施形態のヒューズ抜き治具１３によれば、操作基部１４をヒューズ装着部１６側に向けて押圧し、操作基部１４から指を離せば、この押圧による一対の脚部１５ａ、１５ｂの作用によりヒューズ６がヒューズ装着部１６から外れるので、ヒューズ抜き作業が容易になる。
【００３２】
また、操作基部１４をヒューズ装着部１６側へ押圧することにより、一対の係合爪部２０ａ、２０ｂをヒューズ６の頭部６ａの下面側に確実に係合させることができる。
【００３３】
さらに、この実施形態のヒューズ抜き治具１３は、ヒューズ抜き治具１６の係合部１７をヒューズ６の頭部６ａに係合させるための力のみ必要で、従来のように、ヒューズ装着部１６からヒューズを抜き取るための力及び、係合がはずれないようにするための挟持する力が不要になるので、ヒューズ抜き作業が容易になり、作業性が向上する。また、ヒューズ６を抜き取るために過度の力を加えることがないので、ヒューズ抜き治具の一対の係合爪部２０ａ、２０ｂが破損することがない。
【００３４】
次にこの第１実施形態のヒューズ抜き治具の変形例について説明する。図５には上記実施形態のヒューズ抜き治具１３を示す。図６に示すヒューズ抜き治具３２は、一対の脚部３３ａ、３３ｂに設けた弾性伸縮部３４ａ、３４ｂの形状が異なる。図６に示すヒューズ抜き治具３２の弾性伸縮部３４ａ、３４ｂは、一対の脚部３３ａ、３３ｂに矩形状の孔３５、３５と、くさび型の切欠３６、３６とが交互に設けられて構成されている。そして、孔３５、３５、切欠３６、３６がつぶれるように撓むことにより弾性伸縮部３４ａ、３４ｂが伸縮可能となっている。
【００３５】
さらに図７に示すヒューズ抜き治具３７の弾性伸縮部３８ａ、３８ｂは、一対の脚部３９ａ、３９ｂの中間部に長孔４０、４０が設けられて構成されている。この長孔４０、４０の両側部分が外側に撓むことにより、弾性伸縮部３８ａ、３８ｂが伸縮可能となっている。
【００３６】
また、ヒューズ６を抜き取った後にも、ヒューズ６は、ヒューズ抜き治具１３に係合されているので、ヒューズ１３をヒューズ装着部１６から抜き取った後に脱落したり、紛失したりすることがない。
【００３７】
さらに、本実施形態では、ヒューズ６の係合状態を維持するためにヒューズ抜き治具１３をつまむという動作が不要なので、指への負担が大幅に軽減する。
【００３８】
第２実施形態
次に図８及び図９に示す第２実施形態のヒューズ抜き治具４１及びヒューズ抜き構造について説明する。なお、上記第１実施形態と同構成部分については図面に同符号を付して重複した説明を省略する。
【００３９】
本実施形態のヒューズ抜き治具４１は、図９に示すように、操作基部４２と、この操作基部４２の両側に一体に形成されて操作基部４２と共に、円弧状に形成された一対の脚部４３ａ、４３ｂと、一対の脚部４３ａ、４３ｂの先端部にそれぞれ形成された係合部としての押し上げ爪部４４ａ、４４ｂとで構成され、全体形状がＣ字状に形成されている。押し上げ爪部４４ａ、４４ｂは、操作基部４２側、すなわち内側に向けて突設されている。
【００４０】
一方、このヒューズ抜き治具４１が用いられる電気接続箱２３のヒューズ装着部４５には、図８、図１０に示すように、その周囲に抜き治具装着孔４６が形成されている。この抜き治具装着孔４６は、ヒューズ本体６ｃが収容される本体収容部４７の両側に突出して設けられている。この抜き治具装着孔４６内の幅寸法は、ヒューズ抜き治具４１の一対の脚部４３ａ、４３ｂ間の寸法と略等しく設定されている。
【００４１】
次に本実施形態のヒューズ抜き治具４１を用いて、ヒューズ６をヒューズ装着部４５から抜き出す手順について説明する。
【００４２】
図１１（ａ）に示すように、抜き治具装着孔４６内にヒューズ抜き治具４１を挿入する。この場合、一対の脚部４３、４３間にヒューズ６の頭部６ａ及びヒューズ本体６ｃが挿入され、一対の脚部４３ａ、４３ｂは抜き治具装着孔４６の内壁４６ａ、４６ｂにそれぞれ当接している。また、一対の押し上げ爪部４４ａ、４４ｂはヒューズ本体６ｃの下部側に係合する。
【００４３】
この状態から、図１１（ｂ）に示すように、操作基部４２をヒューズ装着部４５側に押圧する。操作基部４２をヒューズ装着部４５側に押圧すると、一対の脚部４３ａ、４３ｂは、外側に広がろうとするが、抜き治具装着孔４６の内壁４８ａ、４８ｂにその移動が規制されるため、下部側に移動する。一対の脚部４３ａ、４３ｂが下部側に移動すると、一対の脚部４３ａ、４３ｂの下部側は、抜き治具装着孔４６の底壁４８ｃに当接し先端部が上方に移動する。この結果、図１１（ｃ）に示すように、一対の押し上げ爪部４４ａ、４４ｂがヒューズ本体６ｃを上方に押し上げるので、ヒューズ６の端子部６ｂは、ブスバー２４の端子部２６から抜き出る。そして、ヒューズ抜き治具４１と共に、ヒューズ６をヒューズ装着部４５から抜き出す。
【００４４】
本実施形態のヒューズ抜き治具４１によれば、操作基部４２をヒューズ装着部４５側に向けて押圧すれば、一対の脚部４３ａ、４３ｂの作用によりヒューズ６がヒューズ装着部４５から外れるので、ヒューズ抜き作業が容易になる。
【００４５】
また、抜き治具装着孔４６内に、ヒューズ抜き治具４１を挿入すれば、押し上げ爪部４４ａ、４４ｂをヒューズ本体６ｃの下部側に確実に係合させることができ、さらに、操作基部４２をヒューズ装着部４５側に向けて押圧すれば、その係合がより確実になる。
【００４６】
また、本実施形態のヒューズ抜き治具４１は、操作基部４２を一回押圧する力のみ必要であり、従来のようにヒューズ装着部４５からヒューズ６を抜き取るための力が不要になるので、ヒューズ抜き作業が容易になり、作業性が向上する。
【００４７】
【発明の効果】
以上説明したように請求項１の発明によれば、操作基部をヒューズ装着部側に向けて押圧することで、弾性伸縮部が収縮し係合部がヒューズの頭部に容易に係合する。また、操作基部への押圧をやめると、弾性収縮部の伸張によりヒューズがヒューズ装着部から抜き出る。従って、ヒューズの頭部に確実に係合することができて、ヒューズ抜き作業が容易となり、作業性が向上する。
【００４８】
また、係合部がヒューズの頭部からはずれないように一対の脚部を強くつまむ必要はなく、操作基部をヒューズ装着部側へ押圧するだけで、一対の脚部の作用により、ヒューズをヒューズ装着部から容易に抜き出すことができ、作業性が向上する。
【００４９】
さらに、操作基部が可撓性を有しているため操作基部が撓んで係合部（アーム）が拡開することにより、係合部がヒューズの頭部に係合すると共に、操作基部を押圧することで一対の脚部の弾性伸縮部が収縮し、係合部がヒューズの頭部に容易に近づき、より確実に係合する。
【００５０】
請求項２の発明によれば、ヒューズ抜き治具を抜き治具装着孔に挿入し、操作基部をヒューズ装着部側に押圧すれば、一対の脚部の作用によりヒューズがヒューズ装着部から容易に抜き出すことができ、作業性が向上する。
【００５１】
請求項３の発明によれば、操作基部を押圧したとき、円弧状に形成された一対の脚部が抜き治具装着孔の内壁に当接し、先端部の押し上げ爪部がヒューズ本体の下部側に当接して、ヒューズを上方に押し上げるため、ヒューズをヒューズ装着部から容易に抜き出すことができ作業性が向上する。
【００５２】
請求項４の発明によれば、弾性伸縮部の収縮により係合部がヒューズの頭部に係合し、弾性伸縮部の伸張動作によりヒューズがヒューズ装着部から容易に抜き出るので、作業性が向上する。
【００５３】
請求項５の発明によれば、ヒューズ抜き治具を抜き治具装着孔内に挿入し、操作基部を押圧すると、この押圧力により一対の脚部を伝わって押し上げ爪部に伝わり、ヒューズ本体の下部側から押し上げるので、ヒューズをヒューズ装着部から容易に抜き出すことができる。
【図面の簡単な説明】
【図１】本発明の第１実施形態のヒューズ抜き治具と、このヒューズ抜き治具により抜き出されるヒューズが装着された電気接続箱を示し、（ａ）は斜視図、（ｂ）は断面図である。
【図２】第１実施形態のヒューズ抜き治具とこのヒューズ抜き治具により抜き出されるヒューズとの関係を示す断面図である。
【図３】第１実施形態のヒューズ抜き治具とこのヒューズ抜き治具により抜き出されるヒューズとの関係を示す平面図である。
【図４】第１実施形態のヒューズ抜き治具によるヒューズ抜き出し手順を示し、（ａ）はヒューズ抜き治具をヒューズ装着部に装着した状態を示す断面図、（ｂ）は操作基部をヒューズ装着部側に向けて押圧した状態を示す断面図、（ｃ）は操作基部への押圧状態を解除した状態を示す断面図である。
【図５】第１実施形態のヒューズ抜き治具を示す斜視図である。
【図６】第１実施形態のヒューズ抜き治具の変形例を示す斜視図である。
【図７】第１実施形態のヒューズ抜き治具の他の変形例を示す斜視図である。
【図８】本発明の第２実施形態のヒューズ抜き治具と、このヒューズ抜き治具により抜き出されるヒューズが装着された電気接続箱を示し、（ａ）は斜視図、（ｂ）は断面図である。
【図９】第２実施形態のヒューズ抜き治具とこのヒューズ抜き治具により抜き出されるヒューズとの関係を示す断面図である。
【図１０】第２実施形態のヒューズ抜き治具とこのヒューズ抜き治具により抜き出されるヒューズとの関係を示す平面図である。
【図１１】第２実施形態のヒューズ抜き治具の抜き出し手順を示し、（ａ）はヒューズ抜き治具をヒューズ装着部に装着した状態を示す断面図、（ｂ）は操作基部をヒューズ装着部側に向けて押圧した状態を示す断面図、（ｃ）は操作基部への押圧状態を解除した状態を示す断面図である。
【図１２】従来のヒューズ抜き治具によるヒューズ抜き手順を示し、（ａ）はヒューズ抜き治具をヒューズの上部に配置した状態を示す側面図、（ｂ）はヒューズ抜き治具をヒューズの頭部に係合した状態を示す側面図、（ｃ）はヒューズ抜き治具を上方に引き上げてヒューズをヒューズ装着部から抜き出した状態を示す側面図である。
【図１３】従来の他の形状のヒューズ抜き治具を示す斜視図である。
【符号の説明】
６  ヒューズ
６ａ  頭部
６ｂ  端子部
１３、４１  ヒューズ抜き治具
１４、４２  操作基部
１５ａ、１５ｂ、４３ａ、４３ｂ  一対の脚部
１６、４５  ヒューズ装着部
１７  係合部
１８ａ、１８ｂ  一対の弾性伸縮部
１９ａ、１９ｂ  当接端
２０ａ、２０ｂ  一対の係合爪部
４４ａ、４４ｂ  一対の押し上げ爪部
４６  抜き治具装着孔
【図１】
0003813684.tif 000002
【図２】
0003813684.tif 000003
【図３】
0003813684.tif 000004
【図４】
0003813684.tif 000005
【図５】
0003813684.tif 000006
【図６】
0003813684.tif 000007
【図７】
0003813684.tif 000008
【図８】
0003813684.tif 000009
【図９】
0003813684.tif 000010
【図１０】
0003813684.tif 000011
【図１１】
0003813684.tif 000012
【図１２】
0003813684.tif 000013
【図１３】
0003813684.tif 000014